(57)【要約】  【課題】  走査光学ユニット側の筐体の全体に余計な応力を作用させずに画像形成装置本体側の筐体に取り付けることが可能であり，これにより前記走査光学ユニットの径時的な変形を防止し，精度良く感光体ドラムに対する静電潜像書き込み用光の走査を行うことが可能な画像形成装置を提供すること。  【解決手段】  走査光学ユニットが摺動して本体側の筐体に当接するときの，本体側の筐体の当接箇所に貫通孔２０を設けておき，ピン２１に該貫通孔２０を挿通させつつ走査光学ユニットの前記本体側筐体に対する当接部に取り付ける。同時に，バネ部材２２により前記ピン２１の頭部を弾性付勢させ，これにより，前記走査光学ユニットを前記本体側の筐体に付勢させる。【選択図】  図２
2006145759.tif 000002
【特許請求の範囲】
【請求項１】
像担持体に対し静電潜像書き込み用の光の走査を行なう機器がユニット側筐体に組み込まれてユニット化された走査光学ユニットを画像形成装置の本体側筐体に水平方向に摺動自在に取り付けるユニット取り付け構造を具備する画像形成装置であって，
前記ユニット取り付け構造が，
前記ユニット側筐体又は前記本体側筐体に設けられ，前記本体側筐体又は前記ユニット側筐体に水平方向に所定距離離れて形成された鉛直方向の基準面に当接する側面側当接部と，
前記ユニット側筐体又は前記本体側筐体に設けられ，前記本体側筐体又は前記ユニット側筐体に所定距離離れて形成された孔部に摺動自在に嵌合する位置決め軸と，
前記ユニット側筐体が摺動して本体側筐体に当接するときのユニット側筐体の当接端部を前記本体側筐体に向けて水平方向に付勢する水平方向付勢手段と，
前記ユニット側筐体の前記水平方向付勢手段により付勢される端部とは反対側の端部を前記本体側筐体へ向けて鉛直方向に弾性付勢する垂直方向付勢手段と，
を具備してなることを特徴とする画像形成装置。
【請求項２】
前記水平方向付勢手段が，前記ユニット側筐体を前記本体側筐体に向けて引き寄せるものである請求項１に記載の画像形成装置。
【請求項３】
前記水平方向付勢手段が，
前記本体側筐体における前記鉛直方向の基準面に設けられた貫通孔に該鉛直方向の基準面の背面方向から挿通されるとともに前記ユニット筐体側に設けられた前記側面側当接部若しくはその近傍に取り付けられるピン部材と，
前記本体側筐体の前記鉛直方向の基準面の背面側に設けられ，前記ユニット側筐体を前記本体側筐体に向けて引き寄せるように前記ピン部材を弾性付勢する弾性付勢手段と，
を具備してなる請求項２に記載の画像形成装置。
【発明の詳細な説明】
【技術分野】
【０００１】
本発明は画像形成装置に関するものであり，特に像担持体（例えば，感光体ドラム）に対する静電潜像書き込み用の光の走査を行う機器が，ユニット側の筐体に組み込まれてユニット化された走査光学ユニットの取り付け構造に関するものである。
【背景技術】
【０００２】
近年，特許文献１等に記載のように，複写機，プリンタ等の画像形成装置において，像担持体（例えば，感光体ドラム）に対して静電潜像書き込み用の光の照射を行う光源，該光源から照射された光を前記感光体ドラムに誘導する１又は複数の偏向ミラー，前記光源から照射された光のｆθ補正を行うｆθレンズ，前記光源から照射された光に前記感光体ドラム上を走査させるポリゴンミラー，等の機器は，画像形成装置の本体側の筐体とは別の筐体（以下，ユニット側筐体という）に組み込まれ，走査光学ユニットとしてユニット化されている。
そのような画像形成装置では，前記ユニット側筐体を前記本体側筐体に取り付けるための取り付け構造が必要である。
【０００３】
図７は，従来例における前記走査光学ユニットをプリンタ（画像形成装置の一例）の前記本体側筐体に取り付けるための取り付け構造の例を示す図である。
図７に示される，従来例における走査光学ユニットＸ３は，光源，複数の偏向ミラー，ポリゴンミラー，複数のｆθレンズ等がユニット側筐体に組み込まれてユニット化されたものである。また，鉛直位置決め板６ｂ，水平位置決め板７ｂは，前記プリンタ内の所定位置に設けられており，前記走査光学ユニットＸ３を水平方向，鉛直方向各々に位置決めするガイドである。前記走査光学ユニットＸ３の前記プリンタに対する取り付けは，前記鉛直位置決め板６ｂ，前記水平位置決め板７ｂに取り付けられることにより行われる。
つまり，前記走査光学ユニットＸ３は前記水平位置決め板７ｂ上に載置され，これにより前記走査光学ユニットＸ３の鉛直方向の位置決めがなされる。また，その状態で前記走査光学ユニットＸ３は前記鉛直位置決め板６ｂの方向（水平方向）に摺動され，前記走査光学ユニットＸ３が前記鉛直位置決め板６ｂに当接されることで，前記走査光学ユニットＸ３の位置決めがなされる。
【０００４】
更に，前記走査光学ユニットＸ３の位置が決定された状態で，前記走査光学ユニットＸ３を，その決定された位置において安定させ，変位を防止する必要がある。そこで，前記走査光学ユニットＸ３を水平方向に前記鉛直位置決め板６ｂに向けて付勢し，これにより前記走査光学ユニットＸ３の位置を安定させる方法が，従来から採用されている。
例えば，特許文献２等には，ユニット側の筐体における本体側の筐体との当接端部（図７の例ではβ２）の逆方向の端部（図７の例ではγ２）を前記当接端部に向けて押圧するようにバネで（図７の矢印の方向に）付勢することで，前記走査光学ユニットを位置決めする技術が示されている。
【特許文献１】特開２００２−１８７３０８号公報
【特許文献２】特開２００４−１７０６４３号公報
【発明の開示】
【発明が解決しようとする課題】
【０００５】
しかしながら，上述のような特許文献２等に示されるユニット側筐体の付勢の方法では，前記ユニット側筐体が摺動して本体側の筐体に当接する端部の逆の端部からの付勢であるため，前記ユニット側筐体の全体に付勢による応力が作用し，ユニット側の筐体に径時的な変形が生じる原因となる。また，走査光学ユニットが変形すると，画像形成装置に備えられた感光体ドラムに対して，静電潜像書き込み用光の照射を精度良く行うことが出来ず，同時に前記トナー像の形成精度も低下され，画像ムラ，画像歪み等の，形成される画像の質を低下させる不具合が生じる。
従って，本発明は上記事情に鑑みてなされたものであり，その目的とするところは，走査光学ユニット側の筐体の全体に余計な応力を作用させずに画像形成装置本体側の筐体に取り付けることが可能であり，これにより前記走査光学ユニットの径時的な変形を防止し，精度良く感光体ドラムに対する静電潜像書き込み用光の走査を行うことが可能な画像形成装置を提供することにある。
【課題を解決するための手段】
【０００６】
上記目的を達成するために本発明は，像担持体に対して静電潜像書き込み用の光の走査を行う機器がユニット側筐体に組み込まれてユニット化された走査光学ユニットを，画像形成装置の本体側筐体に水平方向に摺動自在に取り付けるユニット取り付け構造を具備する画像形成装置であり，そのユニット取り付け構造は，以下のように前記ユニット側筐体を前記本体側筐体に取り付けるものである。即ち，前記ユニット側筐体又は前記本体側筐体に設けられた位置決め軸が，前記本体側筐体又はユニット側筐体に互いに所定距離離れて形成された２箇所の孔部に摺動自在に嵌合され，また，この摺動により前記ユニット側筐体又は前記本体側筐体に設けられた当接部が，前記本体側筐体又はユニット側筐体に水平方向に互いに所定距離離れて形成された２箇所の鉛直方向の基準面に当接され，更に，前記当接部が当接された状態で前記ユニット側筐体を安定させるために，前記ユニット側筐体が摺動して前記本体側筐体に当接するときの当接端部が前記本体側筐体に向けて水平方向に付勢され，また，その当接端部の反対側の端部を前記本体側筐体に向けて付勢されることで，前記ユニット側筐体が前記本体側筐体に取り付けられる。
上述の構成により，前記ユニット側筐体が摺動して前記本体側筐体に当接するときの前記ユニット側筐体の当接端部を前記本体側筐体に水平方向に付勢することで，前記ユニット側筐体の全体には応力を作用させることなく，位置決めされた位置において前記ユニット側筐体を安定させることが可能である。また，この結果，前記ユニット側筐体には径時的な変形が生じにくくなり，長期にわたって像担持体（感光体ドラム）に対して静電潜像書き込み用の光の走査精度を保つことができる。
【０００７】
ここで，前記ユニット側筐体の水平方向への付勢が，前記ユニット側筐体を前記本体側筐体に向けて引き寄せるものである場合が考えられ，より具体的には，ピン部材が前記本体側筐体における前記鉛直基準面に設けられた貫通孔を該基準面の逆方向から挿通しつつ前記水平方向の位置決め部（側面側当接部）若しくはその周辺に取り付けられ，更に前記ピン部材を前記ユニット側筐体を前記本体側筐体に向けて弾性付勢することが考えられる。
これにより，水平方向に前記ユニット側筐体を付勢する弾勢力が，前記本体側筐体との当接箇所付近において作用されるので，前記鉛直基準面の設けられた部材に作用するモーメントが小さくなり，該部材の変形が防止される。
ところで，前記ユニット側筐体の内部には，前述のように様々な光学機器が精密に配置されているため，前記ユニット側筐体を前記本体側筐体に取り付ける際等に，前記ユニット側筐体の内部に手を入れて作業を行うことは避けるべきである。そこで，上述の構成であれば，前記本体側筐体に対する取り付けのための構成を，前記ユニット側筐体の内部に設ける必要がなく，前記ユニット側筐体の前記本体側への取り付け操作を，前記ユニット側筐体の外部（前記ユニット側筐体と前記本体側筐体とが当接する前記鉛直基準面の背面側）で行うことが可能である。
一方，前記ピン部材を，前記ユニット側筐体の当接面の背面から前記ユニット筐体側に設けられた貫通孔を貫通させた状態で前記本体側筐体に取り付けておき，前記ピン部材を，前記本体側筐体を前記ユニット側筐体に向けて引き寄せるように付勢を行う場合も考えられる。
【発明の効果】
【０００８】
本発明によれば，ユニット側筐体の全体には応力を作用させることなく，位置決めされた位置において前記ユニット側筐体を安定させることが可能であり，これにより，前記ユニット側筐体には径時的な変形が生じにくく，長期に渡って像担持体（感光体ドラム）に対して静電潜像書き込み用の光の走査精度を保つことができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は走査光学ユニットを具備するプリンタ（画像形成装置の一例）における印字部，給紙部，排紙部の概略構成図，図２は本発明の実施の形態に係るプリンタが具備する走査光学ユニットの本体側筐体への当接端部を示す斜視図，図３は本発明の実施の形態に係るプリンタが具備する走査光学ユニットの下方向からの斜視図，図４は本発明の実施の形態に係るプリンタが具備する走査光学ユニットの本体側筐体への当接端部の反対側の端部を示す斜視図，図５は本発明の実施の形態に係るプリンタが具備する走査光学ユニットと本体側筐体との当接箇所における断面図，図６は本発明の実施例に係るプリンタが具備する走査光学ユニットと本体側筐体との当接箇所付近における断面図，図７は従来例における走査光学ユニットを前記本体側筐体に取り付けるための取り付け構造の例を示す図である。
【００１０】
（１）本実施形態に係るプリンタの概略構成について
図１は，本発明の実施の形態に係るプリンタＡ（画像形成装置の一例）における印字部，給紙部，排紙部の概略構成図である。前記プリンタＡは，像担持体（感光体ドラム）に対し静電潜像書き込み用の光の走査を行う機器類（光源，偏向ミラー，ポリゴンミラー，ｆθレンズ等）がユニット側の筐体に組み込まれてユニット化された走査光学ユニットＸ１を，プリンタ（画像形成装置の一例）の本体側筐体に，水平方向に摺動自在に取り付けるユニット取り付け構造（詳しくは後述の，走査光学ユニットＸ１，鉛直位置決め板６ａ，水平位置決め板７ａ）を有するものであり，該ユニット取り付け構造において従来例におけるプリンタとは異なるものである。
図１に示される本実施形態に係るプリンタＡは，トナー像を形成し，これを転写することにより印刷用紙に印字を行う印字部α１，前記印刷用紙を前記印字部α１に供給する給紙部α２，印字の行われた前記印刷用紙を排紙する排紙部α３，を有する。
不図示の外部入力インターフェースを通じて，当該プリンタＡに接続された外部機器（典型的にはパーソナルコンピュータ）から印字要求を表す所定の印字要求信号及び画像情報を表す画像情報信号が入力される。不図示の画像処理制御装置により，該画像情報信号に基づいて前記画像情報が読み取られ，該画像情報はブラック，マゼンダ，イエロー，シアンの４色各々に対する濃淡値情報に変換される。
【００１１】
前記印字部α１は，上述の４色各々に対応する感光体ドラム１ＢＫ，１Ｍ，１Ｙ，１Ｃ（ブラック用感光体ドラム１ＢＫ，マゼンダ用感光体ドラム１Ｍ，イエロー用感光体ドラム１Ｙ，シアン用感光体ドラム１Ｃ），上記４色各々に対応する現像装置２ＢＫ，２Ｍ，２Ｙ，２Ｃ（ブラック用現像装置２ＢＫ，マゼンダ用現像装置２Ｍ，イエロー用現像装置２Ｙ，シアン用現像装置２Ｃ），中間転写ベルト３，搬送ローラ４，定着装置５，走査光学ユニットＸ１，鉛直位置決め板６ａ，水平位置決め板７ａ等を具備して概略構成される。また，前記走査光学ユニットＸ１は，前記感光体ドラム１ＢＫ，１Ｍ，１Ｙ，１Ｃ各々に静電潜像書き込み用の光を照射する不図示の光源，該光源により照射された光を反射し，前記感光体ドラム１ＢＫ，１Ｍ，１Ｙ，１Ｃ各々に誘導する複数の偏向ミラー８，前記光源により照射された光に前記感光体ドラム１ＢＫ，１Ｍ，１Ｙ，１Ｃ各々の表面を走査させるポリゴンミラー９（回転多面鏡），前記光源により照射された光のｆθ補正を行う複数のｆθレンズ１０等がユニット筐体に組み込まれてユニット化されたものである。
【００１２】
前記画像処理制御装置は，前記原稿読み取り部により得られた前記濃淡値情報に基づいて，ブラック，マゼンダ，イエロー，シアンの４色に対応した感光体ドラム１ＢＫ，１Ｍ，１Ｙ，１Ｃ各々に対する光を照射させる。即ち，前記走査光学ユニットＸにおける４つの光源（不図示）を制御し，静電潜像書き込み用光を照射させる。
前記静電潜像書き込み用光は，複数の前記偏向ミラー８，前記ポリゴンミラー９，複数の前記ｆθレンズ１０等により，上述の感光体ドラム１ＢＫ，１Ｍ，１Ｙ，１Ｃ各々に誘導され，これにより，前記感光体ドラム１ＢＫ，１Ｍ，１Ｙ，１Ｃ各々の表面には静電潜像が形成される。
また，前記感光体ドラム１ＢＫ，１Ｍ，１Ｙ，１Ｃ各々に対応する現像装置２ＢＫ，２Ｍ，２Ｙ，２Ｃに設けられた現像ローラ上のトナーが，前記感光体ドラム１ＢＫ，１Ｍ，１Ｙ，１Ｃ各々の面上に引き寄せられ，前記静電潜像は前記トナーにより，前記感光体ドラム１ＢＫ，１Ｍ，１Ｙ，１Ｃ各々と前記現像ローラ各々との電位ギャップ（現像バイアス）に応じてトナー像として顕像化される。
【００１３】
前記給紙部α２は，給紙カセット１１，給紙ローラ１２等を有して概略構成される。前記給紙カセット１１には，予め印刷用紙が載置されている。ユーザによる印字要求（例えば，前記外部入力インターフェースを通じた前記印字要求信号の入力）に基づいて，前記画像処理制御部の制御により前記給紙ローラ１２が回転駆動され，これにより前記給紙カセット１１に載置されている前記印刷用紙が，前記印字部α１に搬送される。
前記給紙部α２からの前記印刷用紙は，前記搬送ローラ４により搬送される。一方，前記感光体ドラム１ＢＫ，１Ｍ，１Ｙ，１Ｃ各々上で形成された前記トナー像は，前記中間転写ベルト３に転写され，その中間転写ベルト３の駆動により，前記搬送ローラ４により搬送された前記印刷用紙に転写される。そして，前記トナー像が転写された前記印刷用紙は前記定着装置５に搬送され，例えば熱ローラ等により前記印刷用紙に定着される。前記トナー像が定着された前記印刷用紙は，前記排紙部α３に搬送され，排紙される。
前述のように，前記走査光学ユニットＸ１は，前記光源（不図示），複数の前記偏向ミラー８，前記ポリゴンミラー９，複数の前記ｆθレンズ１０等がユニット側筐体に組み込まれてユニット化されたものである。また，前記鉛直位置決め板６ａ，前記水平位置決め板７ａは，前記走査光学ユニットＸ１を水平方向，鉛直方向各々に位置決めするガイドであり，前記走査光学ユニットＸ１の前記プリンタＡに対する取り付けは，前記鉛直位置決め板６ａ，水平位置決め板７ａ（本体側筐体の一部）に取り付けられることにより行われる。
【００１４】
（２）本実施形態に係るプリンタＡと，従来例におけるプリンタとの相違について
従来例では，上述の方法で決定された位置において前記走査光学ユニットＸ３を安定させるために，前記走査光学ユニットＸ３における前記本体側筐体（図７の鉛直位置決め板６ｂ）への当接端部β２の逆の端部γ２が前記鉛直位置決め板６ｂに向けて付勢されていた。一方，本実施例では，そのような従来の方法に代わり，後に詳述するように，従来例における前記当接端部β２に相当する当接端部β１を，前記鉛直位置決め板６ａに向けて水平方向に付勢する方法が採用される。
【００１５】
（３）本発明の実施の形態に係るプリンタＡが具備する走査光学ユニットＸ１の位置決めについて
図２は前記走査光学ユニットＸ１の前記当接端部β１を示す斜視図である。また，図３は前記走査光学ユニットＸ１の下方からの斜視図である。以下，図２及び図３を参照しつつ，前記プリンタＡ（本体側筐体）に対する前記走査光学ユニットＸ１の位置決め方法ついて説明する。
図２に示されるように，前記走査光学ユニットＸ１（ユニット側筐体）の第一の側面１３には，所定距離離れて２つの位置決め軸１４が設けられている。一方，前記鉛直位置決め板６ａには，２つの前記位置決め軸１４と同じ間隔だけ隔てられた２つの孔部１５が形成されている。
２つの前記位置決め軸１４各々は，２つの前記孔部１５に摺動自在に嵌合され，これにより，前記走査光学ユニットＸ１の，図２に示されるｙｚ平面内での位置が決定される。
また，前記走査光学ユニットＸ１（ユニット筐体側）の第一の側面１３には，やはり所定距離離れて２つの側面側当接部１６が設けられている。該側面側当接部１６は，２つの前記位置決め軸１４各々が２つの前記孔部１５に嵌合された状態での摺動により，前記鉛直位置決め板６ａの所定の基準面側（図２では陰になっている面）における２箇所（所定距離離れて形成された鉛直方向の基準面）において当接される。これにより，前記側面側当接部１６の当接箇所において図１の左右方向（図２に示される座標軸でのｘ方向）の位置が決定され，尚且つ水平方向の平面（図２に示される座標軸でのｘｙ平面）における前記走査光学ユニットＸ１の向きも固定される。
【００１６】
また，図３に示されるように，前記走査光学ユニットＸ１の下面には，下面側当接部１７が設けられている。該下面側当接部１７は，前記水平位置決め板７ａの所定の一箇所において当接され，これにより，前記走査光学ユニットＸ１の鉛直方向での（図２，図３に示されるｚ方向での）位置決めがなされる。
以上のように，２つの前記側面側当接部１６，及び１つの前記下面側当接部１７，の合計３ヵ所による当接により，前記走査光学ユニットＸ１（ユニット側筐体）は前記プリンタＡ（本体側筐体）に対して位置決めされる。
【００１７】
（４）本発明の実施の形態に係るプリンタＡが具備する走査光学ユニットＸ１（ユニット側の筐体）の，前記プリンタＡの本体側筐体への付勢の詳細について
図５は前記走査光学ユニットＸ１と本体側筐体（前記鉛直位置決め板）との当接箇所の断面図である。
図２及び図５に示されるように，前述のように所定距離離れて設けられた２つの前記側面側当接部１６にはネジ穴１９が設けられている。また，前記鉛直位置決め板６ａには，前記側面側当接部１６と同間隔離れて２つの貫通孔２０が設けられている。前記貫通孔２０は，２つの前記位置決め軸１４が２つの前記孔部１５に嵌合し，２つの前記側面側当接部１６が前記鉛直位置決め板６ａに当接されている状態で，前記２つの前記ネジ穴１９各々と重なる位置に形成されている。
【００１８】
また，図２及び図５に示されるように，前記鉛直位置決め板６ａに設けられた前記貫通孔２０に，前記側面側当接部１６による当接面（前述の基準面）の背面方向から，先端部にネジが切られている段付きネジ付きのピン２１が挿入され，前記側面側当接部１６における前記ネジ穴１９に螺着（取り付け）される。更に，前記ピン２１の頭部２１ａと前記鉛直位置決め板６ａとの間（本体側筐体の鉛直方向の基準面の背面側）にはバネ部材２２が挟み込まれており，前記ピン２１の前記ネジ穴１９への締め付けに伴い弾性変形される。従って，前記ピン２１の頭部２１ａには前記バネ部材２２（弾性付勢手段の一例）の復元力が作用し，これにより前記走査光学ユニットＸ１が前記鉛直位置決め板６ａの方向に引き寄せられるように弾性付勢される。
尚，このように前記走査光学ユニットＸ１（ユニット側筐体）が摺動して前記鉛直位置決め板６ａ（本体側筐体の一部）に当接する前記側部側当接部１６（当接端部β１の一部）を，前記鉛直位置決め板に向けて引き寄せる前記ピン２１，及びバネ部材２２が水平方向付勢手段の一例である。
【００１９】
図４は前記プリンタＡが具備する走査光学ユニットＸ１の本体側筐体への当接端部の反対側の端部を示す斜視図である。図４に示されるように，前記第一の側面１３とは反対側の側面である第二の側面１８には，その中央部を鉛直上下に溝２３が形成されており，その溝２３には水平方向の架橋部材２４が設けられている。また，前記水平位置決め板７ａの端部にはＬ字状の折り曲げ部２５が形成されており，その折り曲げ部２５の中央部にはＵ字状の切欠き２６が形成されている。
また，前記架橋部材２４と前記切欠き２６とは，両端にフック２７が形成された前記押圧バネ２８が前記フック２７を介して係合される。このとき，前記押圧バネ２８は弾性変形され，その復元力により，前記走査光学ユニットＸ１における前記第二の側面１８が形成される端部γ１（つまり，水平方向付勢手段により付勢される端部β１とは反対側の端部）が，前記前記水平位置決め板７ａ（本体側の筐体の一部）に向けて鉛直方向に弾性付勢され，前記走査光学ユニットＸ１の端部の水平方向へのズレが防止される。
尚，前記押圧バネ２８が垂直方向付勢手段の一例である。
【実施例】
【００２０】
上述の実施形態では，画像形成装置の一例としてプリンタを例に挙げて本発明の説明を行ったが，これに限られるものではなく，複写機，ファクシミリ装置等にも当然適用可能であるし，また，これらの装置各々の機能を有する複合機にも適用が可能である。
また，上述の実施形態では，４つの感光体ドラムを持つ（いわゆるタンデム方式の）カラープリンタを例に挙げて説明を行ったが，これに限られるものではなく，１つの感光体ドラムに対して静電潜像書き込み用光の走査を行う走査光学ユニットの位置決め，本体側筐体への取り付けにも適用することが可能である。
また，上述の実施形態では，当接部がユニット側筐体に設けられており，前記当接部の当接箇所（位置決めの基準）が本体側筐体に設けられている例について開示したが，これに限られるものではなく，当接部が本体側筐体の，例えば図１及び図２に示される鉛直位置決め板６ａ及び水平位置決め板７ａに突起物として設けられており，走査光学ユニットの面各々に当接されることにより，前記走査光学ユニットの位置決めがなされるものであってもよい。同様に，走査光学ユニットの平面内での位置を決定する位置決め軸（１４，図２参照）が鉛直位置決め板６ａ及び水平位置決め板７ａに設けられており，その位置決め軸が前記走査光学ユニットに設けられた，例えば孔部等に摺動可能に嵌合されることにより，前記走査光学ユニットの平面内での位置が決定されるものであってもよい。
【００２１】
更に，上述の実施形態では，前記鉛直位置決め板６ａに設けられた貫通孔２０に，側面側当接部１６（図２参照）による当接面の背面方向から，ピン２１が挿入されネジ穴１９に螺着（取り付け）され，前記ピン２１の頭部２１ａと前記鉛直位置決め板６ａとの間に挟み込まれたバネ部材２２により，前記走査光学ユニット（ユニット側筐体）が前記鉛直位置決め板６ａの方向に（つまり，本体側の筐体に向けて）引き寄せられるように弾性付勢される例について示したが，これに限られるものではなく，以下のような実施例も考えられる。
図６は，本発明の実施例に係るプリンタの具備する走査光学ユニットＸ２と本体側筐体との当接箇所付近における断面図である。以下，図６を参照しつつ，本実施例に係るプリンタにおける前記走査光学ユニットＸ２（ユニット側筐体）の，当該プリンタ（本体側筐体）方向への付勢について説明する。
例えば，図６に示されるように，鉛直位置決め板６ｃの上端に鉤形の折り曲げ部２９を設けておく。また，走査光学ユニット（ユニット側筐体）Ｘ２の，前記鉛直位置決め板６ｃに当接する当接端部付近に，鉛直上方に直立する付勢板３０を設けておく。また，該付勢板３０は，前記走査光学ユニットＸ２の第一の側面１３に設けられた側面側当接部１６（図２参照）が前記鉛直位置決め板６ｃに当接し，かつ下面に設けられた下面側当接部１７（図３参照）が水平位置決め板７ａに当接している状態（つまり，位置決めがなされた状態）において，前記折り曲げ部２９の鉛直面と対向する。
前記折り曲げ部２９の鉛直面にはネジ孔２９ａが設けられており，該ネジ孔２９ａには前記折り曲げ部２９の鉛直面を貫通するようにネジ３１が螺着されている。該ネジ３１の先端にはバネ３２が係合されており，前記ネジ３１の前記ネジ孔２９ａへの螺着により，前記バネ３２は前記折り曲げ部２９の鉛直面に対向する前記付勢板３０と当接する。さらに前記ネジ３１を深く前記ネジ孔２９ａに螺着ことにより，前記バネ３２が弾性変形され，前記付勢板３０が前記鉛直位置決め板６ｃの方向に付勢される。
このような構成とすることで，前記ネジ３１の前記ネジ孔２９ａへの螺着の深さにより，前記走査光学ユニットＸ２（ユニット側筐体）の前記鉛直位置決め板６ｃへの付勢の強さを調節することが可能であり，また，前記走査光学ユニットＸ２の取り外し操作等も簡単になる。
【図面の簡単な説明】
【００２２】
【図１】走査光学ユニットを具備するプリンタ（画像形成装置の一例）における印字部，給紙部，排紙部の概略構成図。
【図２】本発明の実施の形態に係るプリンタが具備する走査光学ユニットの本体側筐体への当接端部を示す斜視図。
【図３】本発明の実施の形態に係るプリンタが具備する走査光学ユニットの下方向からの斜視図。
【図４】本発明の実施の形態に係るプリンタが具備する走査光学ユニットの本体側筐体への当接端部の反対側の端部を示す斜視図。
【図５】本発明の実施の形態に係るプリンタが具備する走査光学ユニットと本体側筐体との当接箇所における断面図。
【図６】本発明の実施例に係るプリンタが具備する走査光学ユニットと本体側筐体との当接箇所付近における断面図。
【図７】従来例における走査光学ユニットを前記本体側筐体に取り付けるための取り付け構造の例を示す図。
【符号の説明】
【００２３】
Ａ…本発明の実施の形態に係るプリンタ
Ｘ１…本発明の実施の形態に係るプリンタＡの有する走査光学ユニット
Ｘ２…本発明の実施例に係るプリンタの有する走査光学ユニット
Ｘ３…従来例におけるプリンタの有する走査光学ユニット
１ＢＫ，１Ｍ，１Ｙ，１Ｃ…感光体ドラム
２ＢＫ，２Ｍ，２Ｙ，２Ｃ…現像装置
３…中間転写ベルト
４…搬送ローラ
５…定着装置
６ａ，６ｂ…鉛直位置決め板
７ａ，７ｂ…水平位置決め板
８…偏向ミラー
９…ポリゴンミラー
１０…ｆθレンズ
１１…給紙カセット
１２…給紙ローラ
１３…第一の側面
１４…位置決め軸
１５…孔部
１６…側面側当接部
１７…下面側当接部
１８…第二の側面
１９…ネジ穴
２０…貫通孔
２１…ピン
２１ａ…ピン頭
２２…バネ部材
２３…溝
２４…架橋部材
２５…折り曲げ部
２６…切欠き
２７…フック
２８…押圧バネ
２９…折り曲げ部
２９ａ…ネジ孔
３０…付勢板
３１…ネジ
３２…バネ
【図１】
2006145759.tif 000003
【図２】
2006145759.tif 000004
【図３】
2006145759.tif 000005
【図４】
2006145759.tif 000006
【図５】
2006145759.tif 000007
【図６】
2006145759.tif 000008
【図７】
2006145759.tif 000009